(57)【特許請求の範囲】
【請求項１】
互いに交差する複数の走査線及び複数のデータ線の交差に対応して設けられ、互いに対向する画素電極及び対向電極間に電気光学物質を夫々有する複数の画素を有する表示部と、該表示部に画像データに応じた画像を表示させるために、前記複数の画素の各々の前記画素電極に前記画像データに応じたデータ電位を所定のフレーム期間中に供給する電位供給を複数回行う駆動部とを備えた電気光学装置を制御する制御方法であって、
前記表示部に表示されている画像を書き換える画像書き換えの際、前記フレーム期間中に、前記表示部における表示すべき階調が第１階調から該第１階調と異なる第２階調へ変化することとなる領域である第１領域に対応する前記画素の前記画素電極に前記データ電位として前記第２階調に応じた第２階調電位を供給し、前記表示部における表示すべき階調が前記第２階調から前記第１階調へ変化することとなる領域である第２領域に対応する前記画素の前記画素電極に前記データ電位として前記第１階調に応じた第１階調電位を供給し、前記表示部における表示すべき階調が前記第１階調のままで変化しない領域である第３領域及び前記表示部における表示すべき階調が前記第２階調のままで変化しない領域である第４領域の各々に対応する前記画素の前記画素電極に前記対向電極の電位と同一の電位を供給するように、前記駆動部を制御する第１制御工程と、
前記画像書き換えの際、前記フレーム期間中に、前記表示部における前記第３領域のうち前記第１領域に隣り合うとともに前記第１領域を所定幅で少なくとも部分的に取り囲む領域である第５領域に対応する前記画素の前記画素電極に前記データ電位として前記第１階調電位を供給するように、前記駆動部を制御する第２制御工程と
を含むことを特徴とする電気光学装置の制御方法。
【請求項２】
前記第２階調は、前記第１階調より低輝度の階調であることを特徴とする請求項１に記載の電気光学装置の制御方法。
【請求項３】
前記第２制御工程は、前記複数回の電位供給のうち後半の電位供給の少なくとも一の電位供給として行われることを特徴とする請求項１又は２に記載の電気光学装置の制御方法。
【請求項４】
前記第２制御工程は、前記第１領域に対応する前記画素の前記画素電極に前記データ電位として前記第２階調電位を供給し、前記第２領域に対応する前記画素の前記画素電極に前記データ電位として前記第１階調電位を供給するように、前記駆動部を制御することを特徴とする請求項１乃至３のいずれかに記載の電気光学装置の制御方法。
【請求項５】
前記電気光学装置は、電気泳動粒子又は電子粉流体を用いていることを特徴とする請求項１乃至４のいずれかに記載の電気光学装置の制御方法。
【請求項６】
互いに交差する複数の走査線及び複数のデータ線の交差に対応して設けられ、互いに対向する画素電極及び対向電極間に電気光学物質を夫々有する複数の画素を有する表示部と、該表示部に画像データに応じた画像を表示させるために、前記複数の画素の各々の前記画素電極に前記画像データに応じたデータ電位を所定のフレーム期間中に供給する電位供給を複数回行う駆動部とを備えた電気光学装置を制御する制御装置であって、
前記表示部に表示されている画像を書き換える画像書き換えの際、前記フレーム期間中に、前記表示部における表示すべき階調が第１階調から該第１階調より低輝度の第２階調へ変化することとなる領域である第１領域に対応する前記画素の前記画素電極に前記データ電位として前記第２階調に応じた第２階調電位を供給し、前記表示部における表示すべき階調が前記第２階調から前記第１階調へ変化することとなる領域である第２領域に対応する前記画素の前記画素電極に前記データ電位として前記第１階調に応じた第１階調電位を供給し、前記表示部における表示すべき階調が前記第１階調のままで変化しない領域である第３領域及び前記表示部における表示すべき階調が前記第２階調のままで変化しない領域である第４領域の各々に対応する前記画素の前記画素電極に前記対向電極の電位と同一の電位を供給するように、前記駆動部を制御する第１制御手段と、
前記画像書き換えの際、前記フレーム期間中に、前記表示部における前記第３領域のうち前記第１領域に隣り合うとともに前記第１領域を所定幅で少なくとも部分的に取り囲む領域である第５領域に対応する前記画素の前記画素電極に前記データ電位として前記第１階調電位を供給するように、前記駆動部を制御する第２制御手段と
を備えることを特徴とする電気光学装置の制御装置。
【請求項７】
前記第２階調は、前記第１階調より低輝度の階調であることを特徴とする請求項６に記載の電気光学装置の制御装置。
【請求項８】
電気泳動粒子又は電子粉流体を用いていることを特徴とする請求項６又は７に記載の電気光学装置の制御装置。
【請求項９】
請求項６乃至８のいずれかに記載の電気光学装置の制御装置を備えることを特徴とする電気光学装置。
【請求項１０】
請求項９に記載の電気光学装置を備えることを特徴とする電子機器。
【発明の詳細な説明】
【技術分野】
【０００１】
本発明は、例えば電気泳動表示装置等の電気光学装置の制御方法、電気光学装置の制御装置、電気光学装置、及び電子機器の技術分野に関する。
【背景技術】
【０００２】
この種の電気光学装置の一例として、電気泳動粒子を含む電気泳動素子を挟んで対向する画素電極及び対向電極間に電圧を印加して、例えば黒色粒子及び白色粒子等の電気泳動粒子を移動させることで表示部に画像を表示する電気泳動表示装置がある（例えば特許文献１及び２参照）。電気泳動素子は、例えば、複数の電気泳動粒子を夫々含む複数のマイクロカプセルから構成され、画素電極及び対向電極間に、樹脂等からなる接着剤によって固定される。なお、対向電極は、共通電極と呼ばれることもある。
【０００３】
このような電気泳動表示装置では、表示部に表示されている画像を書き換える際、画像が部分的にしか変化しない場合には、変化する部分に対応する画素のみの画素電極及び対向電極間に電圧を印加することにより、画像を部分的に書き換える駆動方法（以下「部分書き換え駆動」と適宜称する）が採用されることがある。このような部分書き換え駆動が採用された電気泳動表示装置では、例えば、表示部に表示される画像のうち黒色で表示される黒画像部分と白色で表示される白画像部分との境界部が滲んだように表示されてしまうおそれがある、言い換えれば、黒画像部分の輪郭部が白画像部分側に広がったように（或いは膨らんだように）表示されてしまうおそれがあることが知られている（例えば特許文献２参照）。このような境界部の滲みが発生すると、黒画像部分に対応する画素のみに電圧を印加することにより、表示部に表示される画像を全白画像に書き換えた場合、境界部の滲みが残像として残ってしまう、言い換えれば、表示されていた黒画像部分の輪郭部に沿った残像が発生してしまうおそれがある。なお、以下では、このような輪郭部に沿った残像が発生する現象、或いは、このような輪郭部に沿った残像そのものを「輪郭残像」と適宜称する。例えば特許文献２には、表示部に表示された画像を部分書き換え駆動により全白画像に書き換える（即ち、黒画像部分を消去する）際、黒画像部分に対応する画素に加えて、黒画像部分の輪郭部に対応する画素と隣り合って配置され白色を表示する画素にも電圧を印加することにより、輪郭残像を消去する技術が開示されている。
【先行技術文献】
【特許文献】
【０００４】
【特許文献１】特許第３７５０５６５号公報
【特許文献２】特開２０１０−１１３２８１号公報
【発明の概要】
【発明が解決しようとする課題】
【０００５】
しかしながら、前述した例えば特許文献２に開示された技術によれば、輪郭残像を消去できるが、前述したような境界部の滲みの発生を抑制できないという技術的問題点がある。
【０００６】
本発明は、例えば前述した問題点に鑑みなされたものであり、表示部に表示される画像における境界部の滲みの発生を抑制でき、高品質な画像を表示可能な電気光学装置の制御方法、電気光学装置の制御装置、電気光学装置、及び電子機器を提供することを課題とする。
【課題を解決するための手段】
【０００７】
本発明に係る電気光学装置の制御方法は上記課題を解決するために、互いに交差する複数の走査線及び複数のデータ線の交差に対応して設けられ、互いに対向する画素電極及び対向電極間に電気光学物質を夫々有する複数の画素を有する表示部と、該表示部に画像データに応じた画像を表示させるために、前記複数の画素の各々の前記画素電極に前記画像データに応じたデータ電位を所定のフレーム期間中に供給する電位供給を複数回行う駆動部とを備えた電気光学装置を制御する制御方法であって、前記表示部に表示されている画像を書き換える画像書き換えの際、前記フレーム期間中に、前記表示部における表示すべき階調が第１階調から該第１階調と異なる第２階調へ変化することとなる領域である第１領域に対応する前記画素の前記画素電極に前記データ電位として前記第２階調に応じた第２階調電位を供給し、前記表示部における表示すべき階調が前記第２階調から前記第１階調へ変化することとなる領域である第２領域に対応する前記画素の前記画素電極に前記データ電位として前記第１階調に応じた第１階調電位を供給し、前記表示部における表示すべき階調が前記第１階調のままで変化しない領域である第３領域及び前記表示部における表示すべき階調が前記第２階調のままで変化しない領域である第４領域の各々に対応する前記画素の前記画素電極に前記対向電極の電位と同一の電位を供給するように、前記駆動部を制御する第１制御工程と、前記画像書き換えの際、前記フレーム期間中に、前記表示部における前記第３領域のうち前記第１領域に隣り合うとともに前記第１領域を所定幅で少なくとも部分的に取り囲む領域である第５領域に対応する前記画素の前記画素電極に前記データ電位として前記第１階調電位を供給するように、前記駆動部を制御する第２制御工程とを含む。
【０００８】
本発明に係る電気光学装置の制御方法によって制御される電気光学装置は、例えばアクティブマトリクス駆動方式の電気泳動表示装置などであり、複数の走査線と複数のデータ線との交差に対応して例えばマトリクス状に配列された複数の画素を有する表示部と、各画素の画素電極に画像データに応じたデータ電位を供給する駆動部とを備える。駆動部が、所定のフレーム期間中に、複数の画素の各々における画素電極に画像データに応じたデータ電位を供給する（具体的には、所定のフレーム期間中に、複数の走査線を所定の順番で１回ずつ選択するとともに、該選択した走査線に対応する画素における画素電極にデータ電位を複数のデータ線を介して供給する）電位供給（言い換えれば、所定のフレーム期間中に画像データに応じたデータ電位を複数の画素の各々の画素電極に書き込む書き込み動作）を複数回行うことにより、表示部に画像データに応じた画像が表示される。即ち、複数の画素の各々の画素電極に所定のフレーム期間を周期としてデータ電位が複数回書き込まれることにより、表示部に画像データに応じた画像が表示される。ここで、本発明に係る「フレーム期間」は、複数の走査線を所定の順番で１回ずつ選択する期間として予め定められた期間である。つまり、連続する複数のフレーム期間の各々において、複数の画素の各々における画素電極にデータ電位を供給する電位供給が駆動部によって１回ずつ行われることにより表示部に画像データに応じた画像が表示される。
【０００９】
本発明に係る電気光学装置の制御方法によれば、表示部に表示されている画像（例えば、白色及び黒色の２階調からなる２階調画像）を書き換える画像書き換えの際、前述した複数回の電位供給として、第１制御工程及び第２制御工程が行われる。
【００１０】
第１制御工程は、フレーム期間において、表示すべき階調が第１階調（例えば白色）から第２階調（例えば黒色）へ変化することとなる第１領域に対応する画素の画素電極にデータ電位として第２階調に応じた第２階調電位（例えば、対向電極の電位よりも高い高電位、具体的には、例えば＋１５ボルト）を供給し、表示すべき階調が第２階調（例えば黒色）から第１階調（例えば白色）へ変化することとなる第２領域に対応する画素の画素電極にデータ電位として第１階調に応じた第１階調電位（例えば、対向電極の電位よりも低い低電位、具体的には、例えば−１５ボルト）を供給し、表示すべき階調が変化しない第３及び第４領域の各々に対応する画素の画素電極に対向電極の電位と同一の電位（例えば０ボルト）を供給するように、駆動部を制御する。よって、第１制御工程では、画像書き換えの際、画像が部分的にしか変化しない場合には、変化する部分（即ち、第１及び第２領域）に対応する画素のみにおける画素電極及び対向電極間に電圧が印加され、画像が部分的に書き換えられる。この際、変化しない部分（即ち、第３及び第４領域）に対応する画素の画素電極には対向電極の電位と同一の電位が供給されているため、画素電極及び対向電極間に電圧が印加されず、画像は変化しない。ここで、「対向電極の電位と同一の電位」とは、厳密に等しい電位のみを指す趣旨ではなく、僅かに異なる電位であることを含む。例えば、対向電極電位が、フィードスルーによる画素電極電位の変動を考慮して、第３、第４領域の画素電極に供給される電位とは異なる値とされている場合においても、第３、第４領域の画素電極に供給される電位と対向電極の電位とが同一であるとみなす。
【００１１】
第２制御工程は、フレーム期間において、表示すべき階調が第１階調（例えば白色）のままで変化しない第３領域のうち、表示すべき階調が第１階調（例えば白色）から第２階調（例えば黒色）へ変化することとなる第１領域に隣り合うとともに該第１領域を所定幅（例えば一画素の大きさに対応する幅）で少なくとも部分的に取り囲む領域である第５領域に対応する画素の画素電極にデータ電位として第１階調電位（例えば、対向電極の電位よりも低い低電位、具体的には、例えば−１５ボルト）を供給するように、駆動部を制御する。よって、第２制御工程では、画像書き換えの際、第５領域に対応する画素の画素電極及び対向電極間に第１階調電位（例えば−１５ボルト）と対向電極の電位（例えば０ボルト）との電位差に応じた電圧が印加される。なお、本発明に係る「所定幅」は、例えば一画素の大きさに対応する幅や二画素の大きさに対応する幅などであり、第１領域の縁から、第３領域に対応する画素のうち第１領域に対応する画素からの電気的な悪影響を受けない画素までの長さとして設定される。
【００１２】
よって、表示すべき階調が第１階調（例えば白色）のままで変化しない第３領域のうち、表示すべき階調が第１階調（例えば白色）から第２階調（例えば黒色）へ変化することとなる第１領域に隣り合うとともに該第１領域を少なくとも部分的に取り囲む領域である第５領域に対応する画素における画素電極及び対向電極間に第１階調に応じた電圧を印加することができ、第５領域に対応する画素に第１階調（例えば白色）を確実に表示させることができる。したがって、表示部に表示される画像のうち第１階調で表示される第１階調画像（例えば白画像）と第２階調で表示される第２階調画像（例えば黒画像）との境界部の滲みの発生を抑制でき、ひいては、輪郭残像の発生も抑制できる。
【００１３】
以上説明したように、本発明に係る電気光学装置によれば、表示部に表示される画像における境界部の滲みの発生を抑制でき、ひいては、輪郭残像の発生を抑制できる。この結果、高品位な画像を表示することが可能となる。
【００１４】
本発明に係る電気光学装置の制御方法の一態様では、前記第２制御工程は、前記複数回の電位供給のうち後半の電位供給の少なくとも一の電位供給として行われる。
【００１５】
この態様によれば、第２制御工程は、複数回の電位供給のうち後半の少なくとも一の電位供給（典型的には、最終回の電位供給であり、最終回の電位供給が、全画素に基準電位ＧＮＤを書き込んで残留電荷を抜く「ディスチャージ」に相当する場合には最終回の一つ前の電位供給）として行われるので、表示部に表示される画像における境界部の滲みの発生をより確実に抑制できる。
【００１６】
本発明に係る電気光学装置の制御方法の他の態様では、前記第２制御工程は、前記第１領域に対応する前記画素の前記画素電極に前記データ電位として前記第２階調電位を供給し、前記第２領域に対応する前記画素の前記画素電極に前記データ電位として前記第１階調電位を供給するように、前記駆動部を制御する。
【００１７】
この態様によれば、画像書き換えの際、表示すべき階調が変化することとなる画素（言い換えれば、階調を変化させるべき画素）における画素電極及び対向電極間に第１階調又は第２階調に応じた電圧をより長い時間印加でき、階調を変化させるべき画素の階調をより確実に変化させることができる。よって、よりくっきりとした画像を表示部に表示させることができる。更に、各画素についてＤＣバランス比（即ち、画素電極及び対向電極間に第１階調に応じた電圧が印加される時間と、画素電極及び対向電極間に第２階調に応じた電圧が印加される時間との比）が崩れてしまうのを抑制或いは防止できる。即ち、各画素について、画素電極及び対向電極間に第１階調に応じた電圧が印加される時間と第２階調に応じた電圧が印加される時間との差を小さくすることができる。
【００１８】
本発明に係る電気光学装置の制御装置は上記課題を解決するために、互いに交差する複数の走査線及び複数のデータ線の交差に対応して設けられ、互いに対向する画素電極及び対向電極間に電気光学物質を夫々有する複数の画素を有する表示部と、該表示部に画像データに応じた画像を表示させるために、前記複数の画素の各々における前記画素電極に前記画像データに応じたデータ電位を所定のフレーム期間中に供給する電位供給を複数回行う駆動部とを備えた電気光学装置を制御する制御装置であって、前記表示部に表示されている画像を書き換える画像書き換えの際、前記フレーム期間中に、前記表示部における表示すべき階調が第１階調から該第１階調と異なる第２階調へ変化することとなる領域である第１領域に対応する前記画素の前記画素電極に前記データ電位として前記第２階調に応じた第２階調電位を供給し、前記表示部における表示すべき階調が前記第２階調から前記第１階調へ変化することとなる領域である第２領域に対応する前記画素の前記画素電極に前記データ電位として前記第１階調に応じた第１階調電位を供給し、前記表示部における表示すべき階調が前記第１階調のままで変化しない領域である第３領域及び前記表示部における表示すべき階調が前記第２階調のままで変化しない領域である第４領域の各々に対応する前記画素の前記画素電極に前記対向電極の電位と同一の電位を供給するように、前記駆動部を制御する第１制御手段と、前記画像書き換えの際、前記フレーム期間中に、前記表示部における前記第３領域のうち前記第１領域に隣り合うとともに前記第１領域を少なくとも部分的に取り囲む領域である第５領域に対応する前記画素の前記画素電極に前記データ電位として前記第１階調電位を供給するように、前記駆動部を制御する第２制御手段とを備える。
【００１９】
本発明に係る電気光学装置の制御装置によれば、前述した本発明に係る電気光学装置の制御方法と同様に、電気光学装置において、表示部に表示される画像における境界部の滲みの発生を抑制でき、ひいては、輪郭残像の発生を抑制できる。
【００２０】
なお、本発明に係る電気光学装置の制御装置においても、前述した本発明に係る電気光学装置の制御方法における各種態様と同様の各種態様を採ることが可能である。
【００２１】
本発明に係る電気光学装置は上記課題を解決するために、前述した本発明に係る電気光学装置の制御装置（但し、その各種態様も含む）を備える。
【００２２】
本発明に係る電気光学装置によれば、前述した本発明に係る電気光学装置の制御装置を備えるので、表示部に表示される画像における境界部の滲みの発生を抑制でき、ひいては、輪郭残像の発生を抑制できる。
【００２３】
本発明に係る電子機器は上記課題を解決するために、前述した本発明に係る電気光学装置（但し、その各種態様も含む）を備える。
【００２４】
本発明に係る電子機器によれば、前述した本発明に係る電気光学装置を備えるので、高品質な画像を表示することが可能な、例えば、腕時計、電子ペーパー、電子ノート、携帯電話、携帯用オーディオ機器などの各種電子機器を実現できる。
【００２５】
本発明の作用及び他の利得は次に説明する発明を実施するための形態から明らかにされる。
【図面の簡単な説明】
【００２６】
【図１】第１実施形態に係る電気泳動表示装置の全体構成を示すブロック図である。
【図２】第１実施形態に係る画素の電気的な構成を示す等価回路図である。
【図３】第１実施形態に係る電気泳動表示装置の表示部の部分断面図である。
【図４】書き換え前の画像と書き換え後の画像の一例を示す平面図である。
【図５】第１実施形態に係る電気泳動表示装置における画像書き換えの際の複数の画素電極へのデータ電位の供給方法を概念的に示す概念図である。
【図６】第１フレーム期間Ｔ１に行われるデータ電位供給を概念的に示す概念図である。
【図７】第４フレーム期間Ｔ４に行われるデータ電位供給を概念的に示す概念図である。
【図８】表示部に表示される画像における境界部の滲みの発生を説明するための模式図である。
【図９】電気光学装置を適用した電子機器の一例たる電子ペーパーの構成を示す斜視図である。
【図１０】電気光学装置を適用した電子機器の一例たる電子ノートの構成を示す斜視図である。
【発明を実施するための形態】
【００２７】
以下では、本発明の実施形態について図を参照しつつ説明する。以下の実施形態では、本発明に係る電気光学装置の一例である電気泳動表示装置を例にとる。
【００２８】
＜第１実施形態＞
第１実施形態に係る電気泳動表示装置について、図１から図７を参照して説明する。
【００２９】
まず、本実施形態に係る電気泳動表示装置の全体構成について、図１及び図２を参照して説明する。
【００３０】
図１は、本実施形態に係る電気泳動表示装置の全体構成を示すブロック図である。
【００３１】
図１において、本実施形態に係る電気泳動表示装置１は、アクティブマトリクス駆動方式の電気泳動表示装置であり、表示部３と、コントローラー１０と、走査線駆動回路６０と、データ線駆動回路７０と、共通電位供給回路２２０とを備えている。なお、コントローラー１０が本発明に係る「電気光学装置の制御装置」の一例である。また、走査線駆動回路６０及びデータ線駆動回路７０が本発明に係る「駆動部」の一例を構成する。
【００３２】
表示部３には、ｍ行×ｎ列分の画素２０がマトリクス状（二次元平面的）に配列されている。また、表示部３には、ｍ本の走査線４０（即ち、走査線Ｙ１、Ｙ２、…、Ｙｍ）と、ｎ本のデータ線５０（即ち、データ線Ｘ１、Ｘ２、…、Ｘｎ）とが互いに交差するように設けられている。具体的には、ｍ本の走査線４０は、行方向（即ち、Ｘ方向）に延在し、ｎ本のデータ線５０は、列方向（即ち、Ｙ方向）に延在している。ｍ本の走査線４０とｎ本のデータ線５０との交差に対応して画素２０が配置されている。
【００３３】
コントローラー１０は、走査線駆動回路６０、データ線駆動回路７０及び共通電位供給回路２２０の動作を制御する。コントローラー１０は、例えば、クロック信号、スタートパルス等のタイミング信号を各回路に供給する。
【００３４】
走査線駆動回路６０は、コントローラー１０による制御下で、所定のフレーム期間中に、走査線Ｙ１、Ｙ２、…、Ｙｍの各々に走査信号をパルス的に順次供給する。
【００３５】
データ線駆動回路７０は、コントローラー１０による制御下で、データ線Ｘ１、Ｘ２、…、Ｘｎにデータ電位を供給する。データ電位は、基準電位ＧＮＤ（例えば０ボルト）、高電位ＶＨ（例えば＋１５ボルト）又は低電位ＶＬ（例えば−１５ボルト）のいずれかの電位をとる。なお、後述するように、本実施形態では、前述した部分書き換え駆動が採用されている。また、低電位ＶＬが本発明に係る「第１階調電位」の一例であり、高電位ＶＨが本発明に係る「第２階調電位」の一例である。
【００３６】
共通電位供給回路２２０は、共通電位線９３に共通電位Ｖｃｏｍ（本実施形態では、基準電位ＧＮＤと同一の電位）を供給する。なお、共通電位Ｖｃｏｍは、共通電位Ｖｃｏｍが供給された対向電極２２と基準電位ＧＮＤが供給された画素電極２１との間に電圧が実質的に生じない範囲内で、基準電位ＧＮＤとは異なる電位であってもよい。例えば、共通電位Ｖｃｏｍが、フィードスルーによる画素電極２１の電位の変動を考慮して、画素電極２１に供給される基準電位ＧＮＤとは異なる値とされていてもよく、この場合であっても、本明細書では、共通電位Ｖｃｏｍと基準電位ＧＮＤとが同一であるとみなす。ここで、フィードスルーとは、走査線４０に走査信号が供給され、データ線５０を介して画素電極２１に電位が供給された後に、走査線４０への走査信号の供給が終了した際（例えば走査線４０の電位が低下した際）、画素電極２１の電位が、走査線４０との間の寄生容量に起因して変動する（例えば走査線４０の電位低下とともに低下する）現象をいう。共通電位Ｖｃｏｍは、フィードスルーにより画素電極２１の電位が低下することを予め想定して、画素電極２１に供給される基準電位ＧＮＤより僅かに低い値とされることがあるが、この場合も共通電位Ｖｃｏｍと基準電位ＧＮＤとが同電位であるとみなす。
【００３７】
なお、コントローラー１０、走査線駆動回路６０、データ線駆動回路７０及び共通電位供給回路２２０には、各種の信号が入出力されるが、本実施形態と特に関係のないものについては説明を省略する。
【００３８】
図２は、画素２０の電気的な構成を示す等価回路図である。
【００３９】
図２において、画素２０は、画素スイッチング用トランジスター２４と、画素電極２１と、対向電極２２と、電気泳動素子２３と、保持容量２７とを備えている。
【００４０】
画素スイッチング用トランジスター２４は、例えばＮ型トランジスターで構成されている。画素スイッチング用トランジスター２４は、そのゲートが走査線４０に電気的に接続されており、そのソースがデータ線５０に電気的に接続されており、そのドレインが画素電極２１及び保持容量２７に電気的に接続されている。画素スイッチング用トランジスター２４は、データ線駆動回路７０（図１参照）からデータ線５０を介して供給されるデータ電位を、走査線駆動回路６０（図１参照）から走査線４０を介してパルス的に供給される走査信号に応じたタイミングで、画素電極２１及び保持容量２７に出力する。
【００４１】
画素電極２１には、データ線駆動回路７０からデータ線５０及び画素スイッチング用トランジスター２４を介して、データ電位が供給される。画素電極２１は、電気泳動素子２３を介して対向電極２２と互いに対向するように配置されている。
【００４２】
対向電極２２は、共通電位Ｖｃｏｍが供給される共通電位線９３に電気的に接続されている。
【００４３】
電気泳動素子２３は、電気泳動粒子をそれぞれ含んでなる複数のマイクロカプセルから構成されている。
【００４４】
保持容量２７は、誘電体膜を介して対向配置された一対の電極からなり、一方の電極が、画素電極２１及び画素スイッチング用トランジスター２４に電気的に接続され、他方の電極が共通電位線９３に電気的に接続されている。保持容量２７によってデータ電位を一定期間だけ維持することができる。
【００４５】
次に、本実施形態に係る電気泳動表示装置の表示部の具体的な構成について、図３を参照して説明する。
【００４６】
図３は、電気泳動表示装置１の表示部３の部分断面図である。
【００４７】
図３において、表示部３は、素子基板２８と対向基板２９との間に電気泳動素子２３が挟持される構成となっている。なお、本実施形態では、対向基板２９側に画像を表示することを前提として説明する。
【００４８】
素子基板２８は、例えばガラスやプラスチック等からなる基板である。素子基板２８上には、ここでは図示を省略するが、図２を参照して前述した画素スイッチング用トランジスター２４、保持容量２７、走査線４０、データ線５０、共通電位線９３等が作り込まれた積層構造が形成されている。この積層構造の上層側に複数の画素電極２１がマトリクス状に設けられている。
【００４９】
対向基板２９は、例えばガラスやプラスチック等からなる透明な基板である。対向基板２９における素子基板２８との対向面上には、対向電極２２が複数の画素電極９ａと対向してベタ状に形成されている。対向電極２２は、例えばマグネシウム銀（ＭｇＡｇ）、インジウム・スズ酸化物（ＩＴＯ）、インジウム・亜鉛酸化物（ＩＺＯ）等の透明導電材料から形成されている。
【００５０】
電気泳動素子２３は、電気泳動粒子をそれぞれ含んでなる複数のマイクロカプセル８０から構成されており、例えば樹脂等からなるバインダー３０及び接着層３１によって素子基板２８及び対向基板２９間で固定されている。なお、本実施形態に係る電気泳動表示装置１は、製造プロセスにおいて、電気泳動素子２３が予め対向基板２９側にバインダー３０によって固定されてなる電気泳動シートが、別途製造された、画素電極２１等が形成された素子基板２８側に接着層３１によって接着されて構成されている。
【００５１】
マイクロカプセル８０は、画素電極２１及び対向電極２２間に挟持され、１つの画素２０内に（言い換えれば、１つの画素電極２１に対して）１つ又は複数配置されている。
【００５２】
マイクロカプセル８０は、被膜８５の内部に分散媒８１と、複数の白色粒子８２と、複数の黒色粒子８３とが封入されてなる。マイクロカプセル８０は、例えば、５０ｕｍ程度の粒径を有する球状に形成されている。
【００５３】
被膜８５は、マイクロカプセル８０の外殻として機能し、ポリメタクリル酸メチル、ポリメタクリル酸エチル等のアクリル樹脂、ユリア樹脂、アラビアガム、ゼラチン等の透光性を有する高分子樹脂から形成されている。
【００５４】
分散媒８１は、白色粒子８２及び黒色粒子８３をマイクロカプセル８０内（言い換えれば、被膜８５内）に分散させる媒質である。分散媒８１としては、水や、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ペンタン、ヘキサン、オクタン等の脂肪族炭化水素、シクロヘキサン、メチルシクロヘキサン等の脂環式炭化水素、ベンゼン、トルエンや、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１、２−ジクロロエタン等のハロゲン化炭化水素、カルボン酸塩やその他の油類を単独で又は混合して用いることができる。また、分散媒８１には、界面活性剤が配合されてもよい。
【００５５】
白色粒子８２は、例えば、二酸化チタン、亜鉛華（酸化亜鉛）、三酸化アンチモン等の白色顔料からなる粒子（高分子或いはコロイド）であり、例えば負に帯電されている。
【００５６】
黒色粒子８３は、例えば、アニリンブラック、カーボンブラック等の黒色顔料からなる粒子（高分子或いはコロイド）であり、例えば正に帯電されている。
【００５７】
このため、白色粒子８２及び黒色粒子８３は、画素電極２１と対向電極２２との間の電位差によって発生する電場によって、分散媒８１中を移動することができる。
【００５８】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００５９】
図３において、画素電極２１と対向電極２２との間に、相対的に対向電極２２の電位が高くなるように電圧が印加された場合には、正に帯電された黒色粒子８３はクーロン力によってマイクロカプセル８０内で画素電極２１側に引き寄せられるとともに、負に帯電された白色粒子８２はクーロン力によってマイクロカプセル８０内で対向電極２２側に引き寄せられる。この結果、マイクロカプセル８０内の表示面側（即ち、対向電極２２側）には白色粒子８２が集まることになり、表示部３の表示面にはこの白色粒子８２の色（即ち、白色）が表示されることとなる。逆に、画素電極２１と対向電極２２との間に、相対的に画素電極２１の電位が高くなるように電圧が印加された場合には、負に帯電された白色粒子８２がクーロン力によって画素電極２１側に引き寄せられるとともに、正に帯電された黒色粒子８３はクーロン力によって対向電極２２側に引き寄せられる。この結果、マイクロカプセル８０の表示面側には黒色粒子８３が集まることになり、表示部３の表示面にはこの黒色粒子８３の色（即ち、黒色）が表示されることとなる。
【００６０】
なお、白色粒子８２、黒色粒子８３に用いる顔料を、例えば赤色、緑色、青色等の顔料に代えることによって、赤色、緑色、青色等を表示することができる。
【００６１】
次に、本実施形態に係る電気泳動表示装置の制御方法について、図４から図７を参照して説明する。以下では、図４に示すように、表示部３に表示される画像が、画像Ｐ１から画像Ｐ２に書き換えられる場合を例にとりながら、前述した電気泳動表示装置１の制御方法について説明する。なお、画像Ｐ１及びＰ２の各々は、黒色及び白色の２階調からなる２階調画像である。図４は、書き換え前の画像Ｐ１と書き換え後の画像Ｐ２の一例を示す平面図である。
【００６２】
図５は、電気泳動表示装置１における画像書き換えの際の複数の画素電極２１へのデータ電位の供給方法を概念的に示す概念図である。なお、図５には、その上段側に、複数のフレーム期間Ｔ１、Ｔ２、Ｔ３及びＴ４の各々について複数の画素電極２１に供給されるデータ電位が概念的に示されており、その下段側に、各フレーム期間Ｔ１、Ｔ２、Ｔ３及びＴ４において複数の画素電極２１にデータ電位が供給されることにより表示部３に表示されることとなる画像が概念的に示されている。
【００６３】
図５に示すように、本実施形態では、表示部３に表示されている画像を画像Ｐ１から画像Ｐ２へ書き換える際、４つのフレーム期間Ｔ１、Ｔ２、Ｔ３及びＴ４の各々において、複数の画素２０の各々の画素電極２１に、画像Ｐ１及びＰ２の画像データに応じたデータ電位を供給することにより、表示部３に画像Ｐ２を表示させる。ここで、フレーム期間Ｔ１、Ｔ２、Ｔ３及びＴ４は、ｍ本の走査線を順次に１回ずつ選択する期間として予め定められた期間である。つまり、フレーム期間Ｔ１、Ｔ２、Ｔ３及びＴ４の各々において、複数の画素２０の各々の画素電極２１へのデータ電位の供給（以下、「データ電位供給」と適宜称する）が、コントローラー１０による制御下で走査線駆動回路６０及びデータ線駆動回路７０（以下、走査線駆動回路６０及びデータ線駆動回路７０を「駆動部」と適宜総称する）によって１回ずつ行われることにより表示部３に表示されていた画像が画像Ｐ１から画像Ｐ２に書き換えられる。
【００６４】
次に、フレーム期間Ｔ１、Ｔ２、Ｔ３及びＴ４の各々におけるデータ電位供給について、図５に加えて図６及び図７を参照して説明する。
【００６５】
図６は、第１フレーム期間Ｔ１に行われるデータ電位供給を概念的に示す概念図であり、図７は、第４フレーム期間Ｔ４に行われるデータ電位供給を概念的に示す概念図である。なお、本実施形態では、第２フレーム期間Ｔ２及び第３フレーム期間Ｔ３の各々において、第１フレーム期間Ｔ１と同様のデータ電位供給が行われる。
【００６６】
図５及び図６において、表示部３に表示されている画像を画像Ｐ１から画像Ｐ２へ書き換える際、まず、第１フレーム期間Ｔ１において、以下のようなデータ電位供給が行われる。なお、データ電位供給は、コントローラー１０による制御下で、駆動部（即ち、走査線駆動回路６０及びデータ線駆動回路７０）によって行われる。
【００６７】
即ち、第１フレーム期間Ｔ１では、表示すべき階調が白色から黒色へ変化することとなる領域Ｒｗｂに対応する画素２０の画素電極２１にデータ電位として高電位ＶＨ（例えば＋１５ボルト）が供給され、表示すべき階調が黒色から白色へ変化することとなる領域Ｒｂｗに対応する画素２０の画素電極２１にデータ電位として低電位ＶＬ（例えば−１５ボルト）が供給され、表示すべき階調が白色のままで変化しない領域Ｒｗｗ及び黒色のままで変化しない領域Ｒｂｂの各々に対応する画素２０の画素電極２１にデータ電位として基準電位ＧＮＤ（例えば０ボルト）が供給される。なお、領域Ｒｗｂは本発明に係る「第１領域」の一例であり、領域Ｒｂｗは本発明に係る「第２領域」の一例であり、領域Ｒｗｗは本発明に係る「第３領域」の一例であり、領域Ｒｂｂは本発明に係る「第４領域」の一例である。第１フレーム期間Ｔ１においてこのようなデータ電位供給が行われることにより、表示部３には例えば画像Ｍ１（図５参照）が表示される。即ち、第１フレーム期間Ｔ１においてこのようなデータ電供給が行われた後には、白色を表示していた画素２０のうち領域Ｒｗｂに対応する画素２０では例えば薄い灰色など白色から黒色側にやや近づいた色が表示され、黒色を表示していた画素２０のうち領域Ｒｂｂに対応する画素２０では例えば濃い灰色など黒色から白色側にやや近づいた色が表示され、白色を表示していた画素２０のうち領域Ｒｗｗに対応する画素２０では引き続き白色が表示され、黒色を表示していた画素２０のうち領域Ｒｂｂに対応する画素２０では引き続き黒色が表示される。
【００６８】
次に、第１フレーム期間Ｔ１の後の第２フレーム期間Ｔ２、及びこの第２フレーム期間Ｔ２の後の第３フレーム期間Ｔ３の各々において、第１フレーム期間Ｔ１と同様のデータ電位供給が行われる。即ち、第２フレーム期間Ｔ２及び第３フレーム期間Ｔ３の各々では、領域Ｒｗｂに対応する画素２０の画素電極２１にデータ電位として高電位ＶＨ（例えば＋１５ボルト）が供給され、領域Ｒｂｗに対応する画素２０の画素電極２１にデータ電位として低電位ＶＬ（例えば−１５ボルト）が供給され、領域Ｒｗｗ及び黒色のままで変化しない領域Ｒｂｂの各々に対応する画素２０の画素電極２１にデータ電位として基準電位ＧＮＤ（例えば０ボルト）が供給される。第２フレーム期間Ｔ２においてこのようなデータ電位供給が行われることにより、表示部３には例えば画像Ｍ２（図５参照）が表示され、第３フレーム期間Ｔ３においてこのようなデータ電位供給が行われることにより、表示部３には例えば画像Ｍ３（図５参照）が表示される。
【００６９】
次に、図５及び図７において、第３フレーム期間Ｔ３の後の第４フレーム期間Ｔ４において、以下のようにデータ電位供給が行われる。
【００７０】
即ち、第４フレーム期間Ｔ４では、領域Ｒｗｂに対応する画素２０の画素電極２１にデータ電位として高電位ＶＨ（例えば＋１５ボルト）が供給され、領域Ｒｂｗに対応する画素２０の画素電極２１にデータ電位として低電位ＶＬ（例えば−１５ボルト）が供給され、領域Ｒｂｂに対応する画素２０の画素電極２１にデータ電位として基準電位ＧＮＤ（例えば０ボルト）が供給され、領域Ｒｗｗのうち領域Ｒｗｂに隣り合うとともに領域Ｒｗｂを所定幅（例えば一画素の大きさに対応する幅）で部分的に取り囲む領域Ｒｓに対応する画素２０の画素電極２１にデータ電位として低電位ＶＬが供給され、領域Ｒｗｗのうち領域Ｒｓを除く領域Ｒｗｗａに対応すする画素２０の画素電極２１に基準電位ＧＮＤ（例えば０ボルト）が供給される。なお、領域Ｒｓは本発明に係る「第５領域」の一例である。ここで、「部分的に取り囲む領域Ｒｓ」とは、領域Ｒｗｂに隣り合う領域のうち、少なくとも領域Ｒｂｂを除いた領域を指す。このようにすれば、黒を表示すべき領域Ｒｂｂの画素電極２１に低電位ＶＬが供給されて、領域Ｒｂｂが白方向に書き換わるのを避けることができる。また、「部分的に取り囲む領域Ｒｓ」は、領域Ｒｗｂに隣り合う領域のうち、領域Ｒｂｂと、輪郭残像が生じないことが予め分かっている領域（例えば領域Ｒｗｂに斜めに隣り合う画素）とを除いた領域としてもよい。
【００７１】
よって、第４フレーム期間Ｔ４では、領域Ｒｗｂに隣り合うとともにこの領域Ｒｗｂを所定幅で部分的に取り囲む領域Ｒｓに対応する画素２０の画素電極２１と対向電極２２との間に低電位ＶＬ（例えば−１５ボルト）と基準電位ＧＮＤ（例えば０ボルト）との電位差に応じた電圧が印加される。
【００７２】
したがって、表示すべき階調が白色のままで変化しない領域Ｒｗｗのうち、表示すべき階調が白色から黒色へ変化することとなる領域Ｒｗｂに隣り合うとともにこの領域Ｒｗｂを部分的に取り囲む領域Ｒｓに対応する画素２０に白色を確実に表示させることができる。これにより、表示部３に表示される画像のうち白色で表示される白画像と黒色で表示される黒画像との境界部の滲みの発生を抑制できる。この結果、輪郭残像の発生も抑制できる。
【００７３】
ここで、図５に示すように、例えば第３フレーム期間Ｔ３において前述したようなデータ電位供給が行われた後に表示部３に表示される画像Ｍ３に、領域Ｒｗｗにおける領域Ｒｂｗとの境界付近に、例えば灰色など白色から黒色側に近づいた色が表示される滲み部９１０が発生するおそれがある。
【００７４】
図８は、表示部３に表示される画像における境界部の滲みの発生を説明するための模式図である。
【００７５】
図８に示すように、領域Ｒｗｗに対応する画素２０ｗｗの画素電極２１ｗｗにデータ電位として基準電位ＧＮＤが供給されるととともに、この画素２０ｗｗに隣り合う領域ｗｂに対応する画素２０ｗｂの画素電極２１ｗｂにデータ電位として高電位ＶＨが供給された場合、画素スイッチング用トランジスター２４（図２参照）がオフ状態とされたときに、画素電極２１ｗｂと画素電極２１ｗｗとの間にリーク電流が生じて、基準電位ＧＮＤであった画素電極２１ｗｗの電位が高くなる（即ち、高電位ＶＨに近づく）おそれがある。よって、画素２０ｗｗにおいて、画素電極２１ｗｗと対向電極２２との間に生じた電位差によって、黒色粒子８３が対向電極２２側に移動するとともに白色粒子が画素電極２１ｗｗ側に移動してしまうおそれがある。したがって、白色を表示すべき画素２０ｗｗにおいて、灰色や黒色などの白色とは異なる色が表示されてしまうおそれがある。この結果、表示部３に表示される画像における黒画像部分と白画像部分との境界部の滲みが発生してしまうおそれがある。
【００７６】
しかるに、本実施形態では特に、前述したように、第４フレーム期間Ｔ４では、表示すべき階調が白色のままで変化しない領域Ｒｗｗのうち、表示すべき階調が白色から黒色へ変化することとなる領域Ｒｗｂに隣り合うとともにこの領域Ｒｗｂを所定幅で部分的に取り囲む領域Ｒｓに対応する画素２０の画素電極２１にデータ電位として低電位ＶＬを供給するので、領域Ｒｓにおける画素２０に白色を確実に表示させることができる。よって、表示部３に表示される画像における境界部の滲みの発生を抑制できる。
【００７７】
更に、本実施形態では特に、第４フレーム期間Ｔ４において、領域Ｒｗｂに対応する画素２０の画素電極２１にデータ電位として高電位ＶＨ（例えば＋１５ボルト）を供給し、領域Ｒｂｗに対応する画素２０の画素電極２１にデータ電位として低電位ＶＬ（例えば−１５ボルト）を供給する。よって、階調を白色から黒色に変化させるべき画素２０である領域Ｒｗｂに対応する画素２０の階調を確実に黒色に変化させることができるとともに、階調を黒色から白色に変化させるべき画素２０である領域Ｒｂｗに対応する画素２０の階調を確実に白に変化させることができる。よって、画像Ｐ２をよりくっきりとした画像として表示部３に表示させることができる。更に、各画素２０についてＤＣバランス比（即ち、画素電極２１及び対向電極２２間に白色に応じた電圧（即ち、低電位ＶＬと基準電位ＧＮＤとの電位差）が印加される時間と、画素電極２１及び対向電極２２間に黒色に応じた電圧（即ち、高電位ＶＨと基準電位ＧＮＤとの電位差）が印加される時間との比）が崩れてしまうのを抑制或いは防止できる。即ち、各画素２０について、画素電極２１及び対向電極２２間に白色に応じた電圧が印加される時間と黒色に応じた電圧が印加される時間との差を小さくすることができる。
【００７８】
加えて、本実施形態では特に、前述したような領域Ｒｓに対応する画素２０の画素電極２１にデータ電位として低電位ＶＬを供給するデータ電位供給（以下、「境界領域データ電位供給」と適宜称する）は、表示部３に表示されている画像を書き換える際の連続する４つのフレーム期間Ｔ１、…、Ｔ４のうちの最後のフレーム期間である第４フレーム期間Ｔ４で行われる。よって、表示部３に表示される画像における境界部の滲みの発生をより確実に抑制できる。
【００７９】
なお、本実施形態では、前述した境界領域データ電位供給が、４つの連続するフレーム期間Ｔ１、…、Ｔ４のうち最終のフレーム期間である第４フレーム期間Ｔ４のみで行われる例を挙げたが、境界領域データ電位供給は、第４フレーム期間Ｔ４に加えて、第１フレーム期間Ｔ１、第２フレーム期間Ｔ２及び第３フレーム期間Ｔ３の少なくともいずれかにおいて行われてもよい。即ち、第４フレーム期間Ｔ４に加えて、第１フレーム期間Ｔ１、第２フレーム期間Ｔ２及び第３フレーム期間Ｔ３のいずれかにおいても、第４フレーム期間Ｔ４において行われる前述したデータ電位供給が行われてもよい。また、前述した境界領域データ電位供給は、４つのフレーム期間Ｔ１、…、Ｔ４の後半のフレーム期間（即ち、第３フレーム期間Ｔ３及び第４フレーム期間Ｔ４）のうちの少なくとも一のフレーム期間で行われることが好ましい。この場合には、表示部３に表示される画像における境界部の滲みの発生をより確実に抑制できる。
【００８０】
以上説明したように、本実施形態に係る電気泳動表示装置１によれば、表示部３に表示される画像における境界部の滲みの発生を抑制でき、ひいては、輪郭残像の発生を抑制できる。この結果、高品位な画像を表示することが可能となる。
【００８１】
＜電子機器＞
次に、前述した電気泳動表示装置を適用した電子機器について、図９及び図１０を参照して説明する。以下では、前述した電気泳動表示装置を電子ペーパー及び電子ノートに適用した場合を例にとる。
【００８２】
図９は、電子ペーパー１４００の構成を示す斜視図である。
【００８３】
図９に示すように、電子ペーパー１４００は、前述した実施形態に係る電気泳動表示装置を表示部１４０１として備えている。電子ペーパー１４００は可撓性を有し、従来の紙と同様の質感及び柔軟性を有する書き換え可能なシートからなる本体１４０２を備えて構成されている。
【００８４】
図１０は、電子ノート１５００の構成を示す斜視図である。
【００８５】
図１０に示すように、電子ノート１５００は、図９で示した電子ペーパー１４００が複数枚束ねられ、カバー１５０１に挟まれているものである。カバー１５０１は、例えば外部の装置から送られる表示データを入力するための表示データ入力手段（図示せず）を備える。これにより、その表示データに応じて、電子ペーパーが束ねられた状態のまま、表示内容の変更や更新を行うことができる。
【００８６】
前述した電子ペーパー１４００及び電子ノート１５００は、前述した実施形態に係る電気泳動表示装置を備えるので、高品質な画像表示を行うことが可能である。
【００８７】
なお、これらの他に、腕時計、携帯電話、携帯用オーディオ機器などの電子機器の表示部に、前述した本実施形態に係る電気泳動表示装置を適用することができる。
【００８８】
なお、上記実施形態では、白色粒子８２が負に帯電し、黒色粒子８３が正に帯電している例で説明したが、白色粒子８２が正に帯電し、黒色粒子８３が負に帯電していてもよい。また、電気泳動素子２３は、マイクロカプセル８０を有する構成に限られず、隔壁によって仕切られた空間に電気泳動分散媒と電気泳動粒子が含まれる構成であってもよい。また、電気光学装置として電気泳動素子２３を有するものを例に説明したが、これに限定する趣旨ではない。電気光学装置は、上記実施形態のように輪郭残像が生じ得る表示素子を備えるものであればどのようなものであってもよく、例えば電子粉流体を用いた電気光学装置であってもよい。
【００８９】
本発明は、上述した実施形態に限られるものではなく、特許請求の範囲及び明細書全体から読み取れる発明の要旨或いは思想に反しない範囲で適宜変更可能であり、そのような変更を伴う電気光学装置の制御方法、電気光学装置の制御装置、電気光学装置、及び電子機器もまた本発明の技術的範囲に含まれるものである。
【符号の説明】
【００９０】
３…表示部、１０…コントローラー、２０…画素、２１…画素電極、２２…対向電極、２４…画素スイッチング用トランジスター、２８…素子基板、２９…対向基板、４０…走査線、５０…データ線、６０…走査線駆動回路、７０…データ線駆動回路、８２…白色粒子、８３…黒色粒子、２２０…共通電位供給回路、ＶＬ…低電位、ＶＨ…高電位、ＧＮＤ…基準電位、Ｒｗｂ、Ｒｂｗ、Ｒｗｗ、Ｒｂｂ、Ｒｓ…領域。
【図１】
0005845614.tif 000002
【図２】
0005845614.tif 000003
【図３】
0005845614.tif 000004
【図４】
0005845614.tif 000005
【図６】
0005845614.tif 000006
【図７】
0005845614.tif 000007
【図８】
0005845614.tif 000008
【図９】
0005845614.tif 000009
【図１０】
0005845614.tif 000010
【図５】
0005845614.tif 000011